(57)【要約】【課題】カーテンの襞山がカーテン生地の自重に起因して傾斜しないようにすると共に、襞山に弛み皺が発生しないようにする。【解決手段】カーテンレールに吊り下げる鈎先２４が下向きの上鈎２５と、カーテン生地に固定・装着するための取付治具が、連結桿２８を介して連結されているカーテンフックにおいて、連結桿２８を、上鈎２５とは不離一体にし、取付治具とは係脱自在に接合する。取付治具には、連結桿がその長さ方向に摺動可能に嵌合する蟻溝３３が形成されているホルダー３４を設け、その蟻溝に嵌合させて連結桿を取付治具に接合する。連結桿にラチェット歯３２を突設し、そのラチェット歯に係合する爪３５をホルダーに突設する。取付治具は、襞山１４の折り目１６の間に差し込める軸桿３６や、カーテン生地に縫合し得る舌片１０によって構成することが出来る。【選択図】図１
2006068490.tif 000002
【特許請求の範囲】
【請求項１】
カーテンレールに吊り下げる鈎先（２４）が下向きの上鈎（２５）と、カーテン生地に固定・装着するための取付治具（１０・２７）が、連結桿（２８）を介して連結されており、連結桿（２８）が上鈎（２５）とは不離一体を成し、連結桿（２８）が取付治具（１０・２７）とは係脱自在に接合されているカーテンフック。
【請求項２】
連結桿（２８）の長さ方向への取付治具（１０・２７）の摺動を止める係止手段が、連結桿（２８）と取付治具（１０・２７）の何れか少なくとも一方に設けられている前掲請求項１に記載のカーテンフック。
【請求項３】
取付治具（１０・２７）が連結桿（２８）の長さ方向に摺動可能に嵌合する蟻溝（３３）の形成されているホルダー（３４）を有し、その蟻溝（３３）に嵌合して連結桿（２８）が取付治具（１０・２７）に係脱自在に接合されており、連結桿（２８）にはその長さ方向に続くラチェット歯（３２）が突設されており、取付治具（１０・２７）のホルダー（３４）にはラチェット歯（３２）に係合する爪（３５）が突設されており、それらのラチェット歯（３２）と爪（３５）が連結桿（２８）の長さ方向への取付治具（１０・２７）の摺動を止める係止手段を構成している前掲請求項２に記載のカーテンフック。
【請求項４】
取付治具（２７）が軸桿（３６）を成し、その軸桿（３６）が、その先端（２６）を上鈎（２５）の鈎先（２４）に対して上向きに向けてホルダー（３４）から突出した下鈎（２７）を構成している前掲請求項１と請求項２と請求項３の何れかに記載のカーテンフック。
【請求項５】
下鈎の鈎先（２６）が、その鈎先（２６）からホルダー（３４）に到る下鈎の軸桿（３６）のホルダーに続く付け根（２９）を通って連結桿（２８）の長さ方向に平行となる境界線（３７）を越えて、連結桿の軸芯線（３８）に接近する部位に位置している前掲請求項４に記載のカーテンフック。
【請求項６】
下鈎の鈎先（２６）の付近に、連結桿の軸芯線（３８）から遠ざかる方向に向けて突き出た突起（３９）が突設されている前掲請求項５に記載のカーテンフック。
【請求項７】
鈎先の付近の突起（３９）が、鈎先（２６）と同じ方向に突き出た支桿（４０）を形成しており、下鈎（２７）の先端が鈎先（２６）と支桿（４０）とに分岐している前掲請求項６に記載のカーテンフック。
【請求項８】
取付治具（１０）が、カーテン生地に密着する平面を有する舌片（１０）に成る前掲請求項１と請求項２と請求項３の何れかに記載のカーテンフック。
【請求項９】
連結桿（２８）が、裏地カーテンを引っ掛ける治具（６０）を具備する前掲請求項１と請求項２と請求項３と請求項４と請求項５と請求項６と請求項７と請求項８の何れかに記載のカーテンフック。
【請求項１０】
カーテン生地（１１）に前掲請求項１と請求項２と請求項３と請求項４と請求項５と請求項６と請求項７と請求項８と請求項９の何れかに記載のカーテンフックが装着されているカーテン。
【発明の詳細な説明】
【技術分野】
【０００１】
本発明は、カーテンレールに吊り下げるためにカーテンに装着するカーテンフック、およびカーテンに関するものである。
【背景技術】
【０００２】
カーテンフックを介してカーテンレールに吊り下げられる表地カーテンに、裏地カーテンを取り付けて二重カーテンを構成する方法として、表地カーテンに装着されているカーテンフックに裏地カーテンを引っ掛け、そのカーテンフックを介して表地カーテンと裏地カーテンを接合一体化することは公知である（例えば、特許文献１参照）。
カーテンフックは、カーテンレールに吊り下げる鈎先２４が下向きの上鈎２５と、カーテンを吊り上げる鈎先２６が上向きの下鈎２７が連結桿２８で連結して構成され、概してＮ乃至Ｓ字形を成している。
カーテンフックには、連結桿の一端をＪ字形に折り曲げて連結桿２８と下鈎２７を一体的に形成し、その連結桿２８に上鈎２５を摺動可能に装着すると共に、連結桿２８の長さ方向への上鈎の摺動を止める上鈎係止手段を連結桿と上鈎の双方に設けてカーテンの吊り高さを調整可能にしたアジヤストフックと称されるもの（図９）がある（例えば、特許文献１参照）。アジヤストフックの上鈎２５は、連結桿２８の摺動するホルダー５５に突設され、そのホルダーと一体になっている。アジヤストフックの上鈎係止手段は、連結桿２８の軸芯方向に所要の間隔（ピッチ）で連設されたラチェット歯５４と、ホルダー５５に突設されてラチェット歯５４に噛み合う爪５３（ステッキ）から成り、ラチェット歯５４の歯先５２が下向きで、爪５３の爪先は上向きになっている。このため、上鈎２５は、ホルダー５５と共に下鈎２７に向けて連結桿上（２８）を摺動するが、下鈎２７から遠ざかる方向へは摺動しない（例えば、特許文献２参照）。
【特許文献１】特開昭５５−９４２２１号公報（特公昭６２−２８０１号公報）
【特許文献２】特開２００２−２０９７２１号公報
【０００３】
襞付きカーテンは、カーテン生地の上縁にテープ芯地を取り付け、カーテン生地を折り返してテープ芯地をカーテン生地の間に挟み、そのテープ芯地とカーテン生地が重なり合った重合代をテープ芯地の長さ方向に襞寄せし、所要の間隔で襞山を形成して仕立てられる。襞付きカーテンの隆起した襞山の背面側では、テープ芯地とカーテン生地との重合代を襞寄せして生じる折り目と折り目の寄せ集められた折返溝が、その溝縁に該当する左右の折り目を綴じ合わせて塞がれている。その隆起した襞山の頂稜と折返溝（折り目）との間には、テープ芯地とカーテン生地との重合代に囲まれた空隙が形成される。カーテンフックは、重合代（１３）の下縁（２１）とカーテン生地本体の間に出来る折返溝の隙間に下鈎２７の鈎先２６を差し込み、重合代に囲まれた襞山１４の空隙（１８）に下鈎の軸桿３６を挿入してカーテン生地に装着される。
【発明の開示】
【発明が解決しようとする課題】
【０００４】
従来のカーテンの上縁部は、カーテン生地の折返代とテープ芯地と、その差し込んだ軸桿３６に補強されて固く確りしたものとなる。しかし、従来のカーテンの重合代に続く下側が一枚のカーテン生地本体であるため、その上縁部の重合代と生地本体の境目２３に硬さの上での段差が生じる。そして、連結桿２８とカーテンの自重が作用する上鈎２５とランナーとの連結点３０とは僅かながらも離れており、カーテンの自重に起因して連結点３０の周りに生じる回転モーメントによって重合代（襞山１４）が傾き（図９）、重合代（１３）との境目２３である生地本体の上端部が突き上げられ、その境目２３の下側に小皺５７が発生する。
特に、アジヤストフックを装着したカーテンでは、ラチェット歯５４が組み込まれているので連結桿２８が太く、又、上鈎２５は連結桿２８に外嵌する蟻溝を有するホルダー５５に突設されているので、重合代（乃至は下鈎２７）とランナーと上鈎２５との連結点３０の間の距離ｔは、連結桿２８やホルダー５５の嵩に応じて大きくなり、生地本体の上端部との境目２３の下側に小皺５７が発生し易い。
特開２００２−２０９７２１（特許文献２）は、そのような不都合を回避する手段を開示するものであるが、その実施には特別に用意された専用カーテンレールと専用ランナーを要し、既存のレールやランナーを使用することは出来ないので、その開示された手段を簡便且つ経済的に実施することは出来ない。
そこで、格別な専用カーテンレールと専用ランナーを使用することなく、カーテンフックの装着される襞山の下側に発生する小皺を目立たないようにすると共に、カーテンレールに吊り下げたカーテンの襞山が、カーテン生地の自重に起因して傾斜することなく、上縁から下縁まで襞山を真っ直ぐ揃えてカーテンを吊るすことが出来るカーテンフックを開発した。
【課題を解決するための手段】
【０００５】
即ち、本発明に係るカーテンフックは、カーテンレールに吊り下げる鈎先２４が下向きの上鈎２５と、カーテン生地に固定・装着するための取付治具（１０・２７）が、連結桿２８を介して連結されており、連結桿２８が上鈎２５とは不離一体を成し、連結桿２８が取付治具（１０・２７）とは係脱自在に接合されていることを第１の特徴とする。
【０００６】
本発明に係るカーテンフックの第２の特徴は、上記第１の特徴に加えて、連結桿２８の長さ方向への取付治具（１０・２７）の摺動を止める係止手段が、連結桿２８と取付治具（１０・２７）の何れか少なくとも一方に設けられている点にある。
【０００７】
本発明に係るカーテンフックの第３の特徴は、上記第２の特徴に加えて、取付治具（１０・２７）が連結桿２８の長さ方向に摺動可能に嵌合する蟻溝３３の形成されているホルダー３４を有し、その蟻溝３３に嵌合して連結桿２８が取付治具（１０・２７）に係脱自在に接合されており、連結桿２８にはその長さ方向に続くラチェット歯３２が突設されており、取付治具（１０・２７）のホルダー３４にはラチェット歯３２に係合する爪３５が突設されており、それらのラチェット歯３２と爪３５が連結桿２８の長さ方向への取付治具（１０・２７）の摺動を止める係止手段を構成している点にある。
【０００８】
本発明に係るカーテンフックの第４の特徴は、上記第３の特徴に加えて、取付治具（２７）が軸桿３６を成し、その軸桿３６が、その先端２６を上鈎２５の鈎先２４に対して上向きに向けてホルダー３４から突出した下鈎２７を構成している点にある（図６と図７）。
【０００９】
本発明に係るカーテンフックの第５の特徴は、上記第４の特徴に加えて、下鈎の鈎先２６が、その鈎先２６からホルダー３４に到る下鈎の軸桿３６のホルダーに続く付け根２９を通って連結桿２８の長さ方向に平行となる境界線３７を越えて、連結桿の軸芯線３８に接近する部位に位置している点にある（図５）。
【００１０】
本発明に係るカーテンフックの第６の特徴は、上記第１の特徴に加えて、下鈎の鈎先２６の付近に、連結桿の軸芯線３８から遠ざかる方向に向けて突き出た突起３９が突設されている点にある（図５）。
【００１１】
本発明に係るカーテンフックの第７の特徴は、上記第４の特徴に加えて、鈎先の付近の突起３９が、鈎先２６と同じ方向に突き出た支桿４０を形成しており、下鈎２７の先端が鈎先２６と支桿４０とに分岐している点にある（図５）。
【００１２】
本発明に係るカーテンフックの第８の特徴は、上記第１の特徴に加えて、取付治具（１０）が、カーテン生地に密着する平面を有する舌片１０に成る点にある（図３と図４）。
【００１３】
本発明に係るカーテンフックの第９の特徴は、上記第１、第２、第３、第４、第５、第６、第７、第８の何れかの特徴に加えて、連結桿２８が、裏地カーテンを引っ掛ける治具６０を具備する点にある（図８）。
【００１４】
本発明に係るカーテンは、上記第１、第２、第３、第４、第５、第６、第７、第８および第９の何れかの特徴を有するカーテンフックがカーテン生地１１に装着されていることを特徴とする。
【発明の効果】
【００１５】
本発明（請求項１）に係るカーテンフックを使用する場合は、襞山１４を構成しているカーテン生地とテープ芯地との重合代１３に密着する連結桿２８の上端が上鈎２５を構成しており、ランナーと上鈎２５との連結点３０と重合代１３の間の距離ｔを、取付治具（１０・２７）の形状やその摺動を止める係止手段、或いは、連結桿２８の嵩（大きさや太さ）に左右されることなく極少なくすることが出来るので、上鈎２５とランナーとの連結点３０を回転中心としてカーテンの自重に起因する回転モーメントが作用して生じる襞山１４の傾きは極僅かなものとなる。
【００１６】
このため、本発明に係るカーテンでは、重合代１３と生地本体の境目２３の下側に小皺（５７）が発生し難くなり、襞山１４を揃えてカーテンレールにカーテンを綺麗に吊り下げることが出来る（図７）。
【００１７】
ところが、取付治具が軸桿３６を成し、その軸桿３６が、その先端（２６）を上鈎２５の鈎先２４に対して上向きに向けてホルダー３４から突出した下鈎２７を構成しているカーテンフックでは、襞山の折り目と折り目の間の空隙へと軸桿を差し込み、襞山１４の重合代１３を引っ掛けてカーテン生地１１に装着され、下鈎の軸桿３６へと連結桿２８の間で重合代１３が挟持されるが（図７）、カーテン生地１１をより高く吊り上げるためにホルダー３４に極接近する程に上鈎２５を押し下げるときは、連結桿２８が取付治具（１０・２７）に向かい合わせにならなくなり、襞山１４は単に下鈎２７に引っ掛かっただけの状態になる（図６）。即ち、重合代１３において下鈎２７と連結桿２８の間で挟持された状態にはならなくなる。そのように下鈎２７と連結桿２８とによる挟持力から解放されると、襞山１４が上下方向に弛み出て不体裁になり、カーテン全体の美観が損なわれる。
【００１８】
本発明（請求項４〜８）に係るカーテンフックでは、そのように上鈎が深く押し下げられた状態においても、上下方向での弛み出しによる皺立ちが襞山１４に生じないように改善工夫されている。
その第１の改善（請求項４）において、取付治具（２７）は、軸桿３６を母体とし、その軸桿３６が、その先端２６を上鈎２５の鈎先２４に対して上向きに向けてホルダー３４から突出した下鈎２７として構成され、その鈎先２６からホルダー３４に到る下鈎の軸桿３６のホルダーに続く付け根２９を通って連結桿２８の長さ方向に平行となる境界線３７を越えて、連結桿の軸芯線３８に接近する部位に下鈎の鈎先２６の位置が設定される。
【００１９】
このように改善されたカーテンフック（請求項５）を装着するためには、カーテン生地１１の襞山１４の空隙１８に下鈎２７の鈎先２６を差し込む差込口１９と、その差し込んだ鈎先２６が突き出る突出口２０を設け、その差込口１９と突出口２０の間で下鈎２７の軸桿３６が縫い目を形成する恰好に装着する（図２）。
そのように、差込口１９と突出口２０の間で下鈎２７の軸桿３６が縫い目の恰好を成し、下鈎２７の下端（ホルダー３４）と上端（鈎先２６）との２点が差込口１９と突出口２０とで襞山１４に係止され、下鈎２７の軸桿３６が重合代１３に密着して襞山１４と一体化し、襞山１４が下鈎２７の軸桿３６に補強されるので、上鈎２５が深く押し下げられて下鈎の軸桿３６と連結桿２８の間に挟持力が作用しない状態になっても、襞山１４が上下方向に弛み出すことはなくなる。
【００２０】
特に、下鈎の鈎先２６の付近に、連結桿の軸芯線３８から遠ざかる方向に向けて突き出た突起３９を突設するときは、その突起３９に突出口２０の上縁が当り、その突起３９を介して襞山の上端が下鈎２７の軸桿３６に突き上げられる恰好になる。
その場合に、その鈎先の付近の突起３９を鈎先２６と同じ方向に突き出た支桿４０としたものでは、鈎先２６と支桿４０の間で突出口２０の上縁部分が把持された恰好になるので、襞山１４の弛み出しは確実に回避される。
即ち、下鈎の鈎先２６が連結桿２８の下鈎側の面で長さ方向に平行となる境界線３７を越えて軸芯線３８に接近する部位に位置させることによって、カーテン生地１１の襞山１４の隙間に下鈎２７の鈎先２６を差し込む差込口１９と、その差し込んだ鈎先２６が突き出る突出口２０との間で、下鈎２７の軸桿３６が縫い目を成す恰好になり、下鈎２７の下端（ホルダー３４）と上端（鈎先２６）との２点が差込口１９と突出口２０とで襞山１４に係止され、下鈎２７の軸桿３６が重合代１３に密着して襞山１４と一体化し、襞山１４が下鈎２７の軸桿３６に補強され、上鈎２５が深く押し下げられて下鈎の軸桿３６と連結桿２８の間に挟持力が作用しない状態になっても、襞山１４が上下方向に弛み出すことはなくなる。そのようにするためには、図５に想像線（鎖線）で図示するように、鈎先の付近の突起３９と支桿４０を、軸桿３６の延長線上に伸ばすとよい。
【００２１】
上記の第１の改善（請求項４）において、鈎先２６からホルダー３４に到る下鈎の軸桿３６のホルダーに続く付け根２９を通って連結桿２８の長さ方向に平行となる境界線３７を越えて、連結桿の軸芯線３８に接近する部位に、下鈎の鈎先２６の位置を設定しているが、その下鈎の鈎先２６が境界線３７を越える程度は、下鈎の鈎先２６と連結桿２８の間に隙間が出来る程度であってもよい。
【００２２】
具体的に境界線３７の通る軸桿３６のホルダー３４に続く付け根２９を示すと、カーテンフックのカーテン生地１１に装着された状態において、取付治具（２７）が密着するカーテン上縁部分（重合代１３）と面一になる部分が付け根２９として示される。その付け根２９を通って連結桿２８の長さ方向に平行となる境界線３７は、そのカーテン上縁部分（重合代１３）を含む垂直面内の垂直線として示される。
【００２３】
上鈎を深く押し下げても、上下方向での弛み出しによる皺立ちが襞山１４に生じないようにするための第２の改善は、取付治具を、襞山の折り目と折り目の間の空隙へと差し込む軸桿ではなく、カーテン生地１１に縫合し得る舌片１０とした点にある。そのように取付治具を舌片１０としてカーテン生地１１に縫合すれば、襞山１４が舌片１０によって補強されるので、上鈎を深く押し下げても、皺立ちが襞山１４に生じることはなくなる。
【００２４】
本発明（請求項９）によると、連結桿２８には表地カーテン生地１１の自重と裏地カーテン６１の自重とが、上鈎２５とランナーとの連結点３０を回転中心として表裏対称に作用することになり、それらの連結点３０を回転中心とする回転モーメントのバランス（相殺）がとれるため、表地カーテン生地１１の襞山１４が傾くことがなく、上鈎を深く押し下げても、皺立ちが襞山１４に生じることはなくなる。
【発明を実施するための最良の形態】
【００２５】
連結桿２８に設けられる裏地カーテン６１を引っ掛ける治具６０は、フックのように鈎状のものでも、リングや孔などの輪奈状のものでもよい。裏地カーテン６１には、その連結桿２８の治具６０に引っ掛けるための治具６２が設けられるが、その裏地カーテン６１の治具６２は、連結桿２８の治具６０に係合する形状のものであればよい。例えば、連結桿２８の治具６０を鈎状にする場合は、裏地カーテン６１の治具６２は輪奈状にし、連結桿２８の治具６０を輪奈状にする場合は、裏地カーテン６１の治具６２は鈎状にする。図８では、裏地カーテン６１の吊り高さを調整することが出来るように、輪奈状を成す３個の治具６０を連結桿２８の長さ方向に連設しているが、そのように複数個の治具６０を連設する場合、輪奈状治具と鈎状治具（６０）を交互に設け、裏地カーテン６１の治具６２が輪奈状と鈎状の何れの場合にも対応し得るようにしておくことも出来る。又、図８では、輪奈状治具６０を連結桿２８の正面に突設しているが、そのような輪奈状治具６０は連結桿２８の底面（下端）に突設することも出来、或いは、その治具６０としての孔を連結桿本体２８に穿設することも出来る。
【００２６】
カーテンフックは、カーテンレールに吊り下げる鈎先２４が下向きの上鈎２５と、カーテンを吊り上げる鈎先２６が上向きの下鈎２７を連結桿２８で連結し、概してＮ乃至Ｓ字形に構成され、下鈎２７が連結桿２８の長さ方向に摺動可能に連結桿２８に装着されており、上鈎２５が連結桿２８に接合され、上鈎２５と連結桿２８が一体化して概してＪ字形を成し、連結桿２８の長さ方向への下鈎２７の摺動を止める係止手段は、連結桿２８と下鈎２７の何れか少なくとも一方に設けられる（図６と図７）。
【００２７】
その連結桿２８の長さ方向への取付治具（１０・２７）の摺動を止める係止手段は、在来のアジヤストフックと同様に、連結桿２８に歯先３１が上向きのラチェット歯３２を、その軸芯方向に一定の間隔をもって連設する一方、その連結桿２８に外嵌する蟻溝３３を有するホルダー３４に下鈎２７を突設し、そのホルダー３４にラチェット歯３２に噛み合う爪先が下向きの爪３５（ステッキ）を突設して構成することが出来る。しかし、連結桿２８に設けるラチェット歯３２は、下向きでも上向きでもよい。即ち、ラチェット歯３２の歯先３１を上向きにする場合は、そのラチェット歯３２に係合する爪３５を下向きにホルダー３４に突設し、歯先３１を上向きにする場合は、爪３５を上向きにホルダー３４に突設する。つまり、本発明の請求項３は、本発明のカーテンフックの実施態様を示すものである。カーテンフック（上鈎２５、下鈎２７および連結桿２８）は、プラスチック成形するとよい（特に、ラチェット歯３２や爪３５、ホルダー３４の形状）。
【００２８】
連結桿２８の長さ方向への取付治具（１０・２７）の摺動を止める係止手段は、上記のラチェット歯３２と同様に、連結桿２８に所要ピッチをもって多数の孔を穿設し、その孔と孔径を同じくする貫通孔をホルダー３４に穿設して構成し、移動したホルダー３４の貫通孔に重なり合う連結桿２８の孔に向けて、そのホルダー３４の貫通孔に差し込んだダボ（軸材）を押し込み、そのダボを介してホルダー３４を連結桿２８に釘打ち固定するものであってもよい。
【００２９】
連結桿２８の長さ方向への取付治具（１０・２７）の摺動を止める係止手段は、又、ホルダー３４にクリップを設けて構成し、そのクリップで連結桿２８を摘み、そのクリップを介してホルダーと連結桿とを把持するものであってもよい。このように係止手段は、種々の方法によって構成することが出来る。
【００３０】
取付治具を、襞山の折り目と折り目の間の空隙へと差し込む軸桿ではなく、カーテン生地１１に縫合し得る舌片１０とする場合、舌片１０はプラスチックによる薄板状に形成し、ミシン糸目に応じた止め孔５６を穿設しておくとよい。
舌片１０は、そのカーテン生地１１との密着面が、上鈎２５の鈎先２４の突出方向に直交するものでも（図３）、上鈎２５の鈎先２４の突出方向と平行になるものでもよい（図４）。つまり、ホルダー３４は、舌片１０の平面に突設することも、舌片１０の周縁に突設することも出来る。
【００３１】
カーテン生地には、織物、編物、不織布等の布帛の他に、紙（特に、和紙）、プラスチックフイルムや合成皮革その他の布帛や金属箔、プラスチックフイルム等を多重積層した積層シートを適用することが出来、カーテン生地を多重積層構造とすることによって、防火カーテン、遮光カーテン、防音カーテン、湿度調整カーテン、消臭・減臭カーテン、抗菌・殺菌カーテン等の機能性に富むカーテンに仕立てることが出来る。
【００３２】
本発明のカーテンフックを使用するカーテンは、例えば以下に記す形態をとることが出来る。カーテンは、（ａ）  カーテン生地１１の上縁にテープ芯地１２を取り付け、カーテン生地を折り返してテープ芯地１２をカーテン生地の間に挟み、テープ芯地とカーテン生地が重なり合った重合代１３をテープ芯地の長さ方向に襞寄せし、所要の間隔で襞山１４を形成し、（ｂ）  隆起した襞山の背面に、その隆起した襞山の頂稜１５に対応し、且つ、その襞山の背面にテープ芯地１２とカーテン生地１１との重合代１３に襞寄せして生じる折り目１６と折り目１６が寄せ集められて形成される折返溝１７の上側部分と中間部分の一部を除く上側部分（テープ芯地の上縁側）と下側部分（テープ芯地の下縁側）の折り目１６と折り目１６を綴じ合わせ、（ｃ）  隆起した襞山の頂稜１５と綴じ合わされた折返溝１７の折り目１６との間に、テープ芯地とカーテン生地との重合代１３に囲まれた空隙１８を形成して仕立てる。その綴じ合わされずに残された折返溝１７の上側部分と中間部分の一部が、襞山の空隙１８に通じる差込口１９と突出口２０を構成することになる（図２）。
【００３３】
カーテン生地へのテープ芯地の取り付けは、ミシン糸目による縫合の他、それらの上縁同士の接着・接合、それらを重ね合わせた状態での接着・貼合によるものであってもよい。テープ芯地には、繊度が５０ｄｔｅｘ以上の合成繊維モノフィラメント糸によって構成されたメッシュ状テープや不織布を使用することが出来る。そのモノフィラメント糸には、熱融着性ポリマーを鞘成分とし、それよりも融点の高い高融点ポリマーを芯成分とする熱融着性芯鞘複合糸条を用いることも出来る。
【００３４】
折返溝１７を塞ぐために折り目１６と折り目１６を綴じ合わせるためには、折返溝１７の溝縁に該当する左右の折り目１６と折り目１６をミシン糸目によって縫合してもよい。その綴じ合わされた折返溝１７の差込口１９から続く下側部分５１の長さを少なくとも７ｍｍとし、生地本体２２と重合代１３との境目２３に小皺５７が集中して発生しないようにする。差込口１９から続く上側部分５０の長さは、カーテンフックの下鈎の軸桿３６の長さに応じて設定されるが、概して重合代１３（テープ芯地の幅）の幅の四分の一以上とし、下鈎に引っ掛かって吊り上げられる上側部分５０を下側部分５１よりも長くする（図２）。差込口１９の大きさ（折返溝１７の長さ（高さ）方向における長さ・寸法）は、そこに差し込まれる下鈎２７（軸桿３６）の寸法（太さ）に応じて適宜設定される。
尚、本発明のカーテンフックを使用する場合、前記の通り、ランナーと上鈎２５との連結点３０と重合代１３の間の距離ｔが極少なくなり、襞山１４の傾きが極僅かなものとなって重合代１３と生地本体２２の境目２３に小皺（５７）が発生し難くなるので、下鈎２７（軸桿３６）を差し込む差込口１９は、重合代１３の下端、即ち、重合代１３と生地本体２２の境目２３に設けることも出来る。
【００３５】
軸桿３６で取付治具が構成されたカーテンフックは、下鈎２７の鈎先２６を差込口１９に差し込み、その軸桿３６をカーテンの重合代１３に囲まれた空隙１８に通し、突出口２０から鈎先２６を突き出してカーテン生地１１に装着される（図２と図５）。
又、舌片１０によって取付治具が構成されており、そのカーテン生地１１との密着面が、上鈎２５の鈎先２４の突出方向に直交するカーテンフックでは、その舌片１０を襞山１４に差し込んでカーテン生地１１に装着される（図４）。
尚、重合代１３との境目２３である生地本体２２の上縁部分での小皺（５７）を回避するために、舌片１０によって取付治具が構成されたカーテンフック（図３と図４）においても、軸桿３６によって取付治具が構成されたカーテンフック（図１と図２）と同様に、カーテン生地１１の隆起した襞山１４の背面に、その隆起した襞山の頂稜１５に対応させ、且つ、カーテン生地本体との境目となる重合代１３の下縁２１から離れた上側部分５０（テープ芯地の上縁側）に舌片１０を固定してカーテン生地１１に装着する。
【図面の簡単な説明】
【００３６】
【図１】本発明に係るカーテンフックの組立斜視図である。
【図２】本発明に係るカーテンフックを装着したカーテンの斜視図である。
【図３】本発明に係るカーテンフックを装着したカーテンの斜視図である。
【図４】本発明に係るカーテンフックを装着したカーテンの斜視図である。
【図５】本発明に係るカーテンフックを装着したカーテンの側面図である。
【図６】本発明に係るカーテンフックを装着したカーテンの側面図である。
【図７】本発明に係るカーテンフックを装着したカーテンの側面図である。
【図８】本発明に係るカーテンフックを装着したカーテンの斜視図である。
【図９】従来のカーテンフックを装着したカーテンの側面図である。
【符号の説明】
【００３７】
ｔ  ：連結点からカーテン生地までの距離
１０：舌片
１１：カーテン生地
１２：テープ芯地
１３：重合代
１４：襞山
１５：頂稜
１６：折り目
１７：折返溝
１８：空隙
１９：差込口
２０：突出口
２１：下縁
２２：生地本体
２３：境目
２４：鈎先
２５：上鈎
２６：鈎先
２７：下鈎
２８：連結桿
２９：付け根
３０：連結点
３１：歯先
３２：ラチェット歯
３３：蟻溝
３４：ホルダー
３５：爪
３６：軸桿
３７：境界線
３８：軸芯線
３９：突起
４０：支桿
５０：上側部分
５１：下側部分
５２：歯先
５３：爪
５４：ラチェット歯
５５：ホルダー
５６：止め孔
５７：小皺
６０：治具
６１：裏地カーテン
６２：治具
【図１】
2006068490.tif 000003
【図２】
2006068490.tif 000004
【図３】
2006068490.tif 000005
【図４】
2006068490.tif 000006
【図５】
2006068490.tif 000007
【図６】
2006068490.tif 000008
【図７】
2006068490.tif 000009
【図８】
2006068490.tif 000010
【図９】
2006068490.tif 000011